(57)【要約】【課題】見込み方向の位置を調整できる調整ストライクを提供する。【解決手段】下面にストライク２を突設した本体板１６の上面に、薄い矩形の連結台２４を突設すると共に、扉枠１８の下面に装着された取付板１７の左右方向に長い係合孔に係合させ、連結台２４の側面及び係合孔の左右方向開口端縁に同じピッチのセレーションを形成して連結台２４を取付板の係合孔に形状係合させ、これら本体板１６及び取付板１７の相対関係位置を取付ねじ２９で固定する。【選択図】  図２
2004332241.tif 000002
【特許請求の範囲】
【請求項１】
下面に掛金と係合するストライクを突設した本体板と、サッシの扉枠の上辺下面に装着される取付板とからなり、この取付板は見付け方向の複数箇所を上方に切り起こし、各切り起こし片に雌ねじ孔を形成すると共に、切り起こし片と取付板との間隔を間に挟むものの厚さにほぼ等しく設定し、一方、取付板の下面又は本体板の上面の一方に矩形の連結台を、他方にこの連結台と係合し、見込み方向の寸法が連結台のそれよりも大きい矩形の係合孔を夫々形成し、連結台の見込み方向に平行な両側面と、係合孔の見込み方向に平行な一対の開口端縁に夫々セレーションを刻設し、両者がセレーションのピッチ間隔で段階的に係合位置を変えて形状係合できるようにすると共に、連結台が係合孔より突出することがないように連結台の高さを設定し、他方、本体板に、取付板の切り起こし片に対応して、複数の見込み方向に長い長孔を形成し、扉枠の下面を切り起こし片と共に挟むようにして扉枠に装着された取付板に対し、長孔及び扉枠の下面を挿通する取付ねじを切り起こし片の雌ねじ孔にねじ込むことにより、切り起こし片と本体板とで扉枠下面を挟み付けるようにしたことを特徴とする調整ストライク。
【請求項２】
上記本体板と取付板との間にスペーサーを挿設したことを特徴とする請求項１記載の調整ストライク。
【発明の詳細な説明】
【０００１】
【発明が属する技術分野】
この発明は、調整ストライクに係り、特に、室内側における扉枠上辺下面に装着されるものであって、見込み方向における装着位置を調節できる調整ストライクに関する。
【０００２】
【従来の技術】
ある種の施錠装置は、図１に示すように、室内側における扉枠上辺１８の下面に装着されたストライク２に対し、扉３の内面上端部に装着された掛金装置４の掛金５を着脱させて扉の施解錠を行う。
【０００３】
なお、図１において、扉３に関して右側が室内側、上側が空間の上部を示し、扉３は左方に開く、換言すれば、扉３の自由側端縁は扉が開くとき室内側から室外側に移動するものとする。
【０００４】
また、上記掛金装置４の構造は本発明の要部ではないし、更にまた、種々の形式のものがあるから、ここでは簡単に説明する。
【０００５】
すなわち、図１及び図２は施錠状態を示し、この施錠状態では、図２に示すように、扉内面側のホルダ６に回動自在に支承された掛金５には制御ローラ７が一体的に装着されており、この制御ローラ７は、ホルダ６に上下動可能に案内されたスライダ８上の衝止ブロック９の背部に乗り上がっている。
【０００６】
したがって、扉３を開放するためこれを左方に移動させようとすると、図２において掛金５がストライク２に衝止され、そのために掛金５に作用する時計方向の回転モーメントは、制御ローラ７及び衝止ブロック９を介して扉３に担持されるので、扉を開けることができない。
【０００７】
一方、シリンダ錠１１（図１参照）を合鍵で操作することにより、或いは室内側のサムターン１２（図１参照）を手指で解錠方向に回動することにより、ロッドカバー１３内のプッシュロッド１４（図２参照）を押上げると、図３に示すように、スライダ８上の衝止ブロック９は掛金の制御ローラ７と干渉しない位置に迄上昇する。
【０００８】
この状態で扉を開けると、掛金５はストライク２から反力を受けて時計方向に回動し、図３に示すようにストライクの通過を許容する。したがってこの掛金装置は解錠される。
【０００９】
なお、上記合鍵の回動、或いはサムターン１２の回動をプッシュロッド１４の上方への移動に変換する機構は、通常の錠前のデッドボルトを水平方向に押出す機構と同様であり、周知であるから、ここでは詳細な説明を省略する。
【００１０】
また、図３において符号１５は掛金５に一体的に結合された戻しレバーを示し、この戻しレバー１５は、閉扉時ストライク２の外面に当接して、掛金４を図２に示す閉止角度位置にまで戻す部材である。
【００１１】
更にまた、この発明による調整ストライクが適用される掛金装置は、上記し、或いは図示したものに限定されず、例えば掛金５を回転させる形式ではなく上下方向に移動させるものとし、扉を閉止した後掛金をストライクの内側迄上昇させて錠止するもの（図示せず）等種々のものを考えることができる。
【００１２】
【発明が解決しようとする課題】
上記のように構成された施錠装置は、通常の施錠装置、すなわち、扉の自由側端縁から扉枠側に突出するデッドボルトを有するものと併用して用いられる（所謂緊急出口ロック装置）が、勿論単独で用いても差し支えない。
【００１３】
上記緊急出口ロック装置とは、例えば映画館において火事の発生により観客が非常口に殺到した場合、扉が歪んで錠前を解錠できなくなってしまうことを防止するため、扉を扉枠に係止して扉の変形を防止するものである。
【００１４】
何れの場合でも、ストライク２と掛金５との間隔が大きいと、緊急出口ロック装置の場合には扉の変形を防止するという本来の機能を果たせないことになるし、また、単独で用いる場合には閉扉時扉がガタガタする、という不都合がある。
【００１５】
そこで、この発明は、掛金とストライクとの間隔を調節でき、これを所定の値以下に保って上記した不都合を解消できる調整ストライクを提供することを目的としている。
【００１６】
【課題を解決するための手段】
上記の目的を達成するため、請求項１に記載の発明は、下面に掛金と係合するストライクを突設した本体板と、サッシの扉枠の上辺下面に装着される取付板とからなり、この取付板は見付け方向の複数箇所を上方に切り起こし、各切り起こし片に雌ねじ孔を形成すると共に、切り起こし片と取付板との間隔を間に挟むものの厚さにほぼ等しく設定し、一方、取付板の下面又は本体板の上面の一方に矩形の連結台を、他方にこの連結台と係合し、見込み方向の寸法が連結台のそれよりも大きい矩形の係合孔を夫々形成し、連結台の見込み方向に平行な両側面と、係合孔の見込み方向に平行な一対の開口端縁に夫々セレーションを刻設し、両者がセレーションのピッチ間隔で段階的に係合位置を変えて形状係合できるようにすると共に、連結台が係合孔より突出することがないように連結台の高さを設定し、他方、本体板に、取付板の切り起こし片に対応して、複数の見込み方向に長い長孔を形成し、扉枠の下面を切り起こし片と共に挟むようにして扉枠に装着された取付板に対し、長孔及び扉枠の下面を挿通する取付ねじを切り起こし片の雌ねじ孔にねじ込むことにより、切り起こし片と本体板とで扉枠下面を挟み付けるようにしたことを特徴とする。
【００１７】
また、請求項２に記載の発明は、上記本体板と取付板との間にスペーサーを挿設したことを特徴とする。
【００１８】
【実施例】
以下、この発明の実施例を図面を参照して説明する。
図４乃至図７において符号１６は本体板（図２参照）を、また、図８乃至図１０において符号１７は取付板を夫々示す。
【００１９】
上記本体板１６の下面には、前記掛金５（図２参照）と係合するストライクが一体或いは一体的に突設されている。
【００２０】
この本体板１６は、次に述べる取付板１７を介して、サッシの扉枠１８（図２参照）の下面に装着される。
【００２１】
すなわち、取付板１７は、図８乃至図１０に示すように、見付け方向（図８で上下方向）に細長い板材で、その長さ方向の２ヵ所を上方（図８で向こう側、図１０で右方）に切り起こし、一対の切り起こし片１９、１９を形成したものである。
【００２２】
各切り起こし片１９の中央部には、バーリングと共に雌ねじ孔２１が形成されている。
【００２３】
また、各切り起こし片１９と取付板１７との間隔は、扉枠１８の下面の板厚にほぼ等しく設定されている。
【００２４】
そのため、図１１に示すように、切り起こし片１９、１９の間隔と同じ間隔で扉枠１８の下面に開口し、切り起こし片１９より大きな一対の挿通穴２２、２２と切り起こし片１９、１９とを整合させ、各切り起こし片１９を対応する挿通穴２２を潜らせた後これを図１１で左方にスライドさせると、図１２に示すように、取付板１７は切り起こし片１９、１９と共に扉枠の下面を挟み込んだ態様で扉枠下面に装着される。
【００２５】
なお、図１１及び図１２において、扉枠下面の切り起こし片の雌ねじ孔２１と整合する部分には、後述する取付ねじと遊嵌するねじ挿通孔２３、２３が開口している。
【００２６】
一方、図４乃至図６に示すように、本体板１６の上面中央部に矩形の連結台２４が突設されており、この連結台２４の高さ、すなわち本体板１６の上面からの突出量は取付板１７の板厚より小さくなるように設定されている。
【００２７】
そして、この連結台２４の見込み方向（図５で左右方向）に平行な一対の側面にはセレーション２５が刻設されている。
【００２８】
また、連結台２４の見込み方向における両側には、一対の見込み方向に長い長孔２６、２６が開口している。
【００２９】
これら長孔２６、２６の間隔は、前記取付板１７の雌ねじ孔２１、２１の間隔と同じに設定されている。
【００３０】
なお、これはこの発明の要旨ではないが、後述する取付ねじのねじ頭を隠すため、本体板１６の下面側の長孔の開口に沿って凹陥部２７（図６及び図７参照）が形成されている。
【００３１】
他方、図８に示すように、取付板１７の中央部には、見込み方向（図８で左右方向）の寸法が連結台２４のそれよりも大きい係合孔２８が開口している。
【００３２】
そして、この係合孔２８の見込み方向に平行な一対の開口端縁には、夫々、上記連結第２４の側面のセレーションと同じピッチのセレーションが形成されている。
【００３３】
したがって、連結台２４及び係合孔２８は、見込み方向において、セレーションのピッチ間隔で段階的に係合位置を変えて形状係合できることになる。
【００３４】
なお、図示の実施例では、本体板１６の上面に連結台２４を、取付板１７に係合孔２８を夫々形成するものとしたが、これは、形成位置を逆にし、本体板１６の上面に係合孔を、取付板１７の下面に連結台を夫々形成してもよい。
【００３５】
上記のように構成されたこの発明の一実施例による調整ストライクは、先ず、取付板１７を図１２に示すように装着する。
【００３６】
次いで、図２に示すように、ストライク２の見付け方向の位置が所定の値になるように連結台２４と係合孔２８の相対位置を定め、両者のセレーションが相互に噛み合う態様で取付板１７の下方に本体板１６を接合させる。
【００３７】
上記のようにして本体板１６と取付板１７との相対位置を仮決めした後、その相対位置関係を固定するため、長孔１２、１２に取付ねじ２９、２９（図２参照）の先端を下方から挿通させ、更に扉枠下面のねじ挿通孔２３（図１１及び図１２参照）を通して切り起こし片１９の雌ねじ孔２１に螺合させる。
【００３８】
この状態で取付ねじ２９を締めると、切り起こし片１９は取付ねじを介して本体板１６方向に呼び付けられるから、調整ストライク全体は、切り起こし片１９と本体板１６とで扉枠の下面を強く挟む態様で、扉枠下面に確りと固定される。
【００３９】
ストライク２の見込み方向の位置を調整するには、先ず取付ねじ２９、２９を少し弛め、本体板の連結台２４を係合孔から抜き外した後、新たなセレーションの噛み合わせをしてセレーションのピッチ間隔で段階的にストライクの位置を定め、再び取付ねじ２９、２９を締め付けてその新たなセレーションの噛み合わせを固定する。
【００４０】
図１３はこの発明の他の実施例を示し、この実施例は、本体板１６と取付板１７との間に板状のスペーサー３１を挿設したもので、このスペーサ３１には、本体板１６の一対の長孔２６、２６と同じ間隔でねじ挿通孔２３（図１１及び図１２参照）が開口しており、また、窓枠１３の下面と同様に、切り起こし片１９を通すための挿通孔（図１１及び図１２参照）が開口している。
【００４１】
更にまた、切り起こし片１９と取付板１７との間隔もスペーサー３０の厚さに応じて増大させる。
【００４２】
上記のように構成されたこの発明の別の実施例による調整ストライクは、ストライクの上下方向の調整も可能で、扉の建て付けの誤差に起因するストライクと掛金との間隔の上下方向の狂いも調整できる、という別の利点が生じる。
【００４３】
【発明の効果】
以上の説明から明らかなように、この発明は、ストライクと一体の本体板と扉の下面に装着される取付板とを、両者に形成された連結台と係合孔のセレーションの形状係合により着脱可能に連結したので、一度その相対関係位置を固定すれば、長期間に亘って安定にストライクの見込み方向の位置を保つことができる、という所期の効果を奏する。
【００４４】
また、取付板の切り起こし片を取付ねじによりストライクと一体の本体板に呼び付けるようにし、これらの間に扉枠の下面を強く挟み込むようにして調整ストライクを扉枠に装着するようにしたので、調整ストライクを確りと扉枠に固定できる、等種々の効果を奏する。
【図面の簡単な説明】
【図１】ある種の施錠装置の一部断面側面図。
【図２】掛金装置の一部断面拡大側面図で、施錠状態を示す。
【図３】掛金装置の一部断面拡大側面図で、解錠状態を示す。
【図４】本体板の側面図。
【図５】本体板の平面図。
【図６】本体板の正面図。
【図７】本体板の下面図。
【図８】取付板の平面図。
【図９】取付板の見付方向から見た側面図。
【図１０】取付板の縦断面図。
【図１１】取付板の装着を説明するための線図で、扉枠への装着前を示す。
【図１２】取付板の装着を説明するための線図で、扉枠への装着後を示す。
【図１３】この発明の別の実施例を示す本体板の側面図。
【符号の説明】
１  扉枠上辺
２  ストライク
３  扉
４  掛金装置
５  掛金
１６  本体板
１７  取付板
１８  扉枠
１９  切り起こし片
２１  雌ねじ孔
２２  挿通孔
２３  ねじ挿通孔
２４  連結台
２５  セレーション
２６  長孔
２７  凹陥部
２８  係合孔
２９  取付ねじ
３１  スペーサー
【図１】
2004332241.tif 000003
【図２】
2004332241.tif 000004
【図３】
2004332241.tif 000005
【図４】
2004332241.tif 000006
【図５】
2004332241.tif 000007
【図６】
2004332241.tif 000008
【図７】
2004332241.tif 000009
【図８】
2004332241.tif 000010
【図９】
2004332241.tif 000011
【図１０】
2004332241.tif 000012
【図１１】
2004332241.tif 000013
【図１２】
2004332241.tif 000014
【図１３】
2004332241.tif 000015